(57)【要約】【課題】バナナの日持ちを良くするとともに、スティックネックがちぎれてないバナナが得られるようにする。【解決手段】支柱２ａに架設された梁２ｂに、バナナ５の首部５ａを入れて係止するＶ形の係止口３ａを複数設け、バナナ５を個別に吊り下げて保存するようにし、バナナ５から発生した熟成を促進するエチレンガスを円滑に放散させる一方、係止口３ａを、垂直面から傾斜させることにより、サイズ、湾曲度合い、首部の長さが異なる多種のバナナを安定に係止する。【選択図】図４
2006136617.tif 000002
【特許請求の範囲】
【請求項１】
立設された支柱と、該支柱に支持された梁とを備え、該梁には、バナナの首部を入れて該首部を係止する係止口が複数設けられ、前記係止口は、下方に沿って小さく形成されていることを特徴とするバナナスタンド。
【請求項２】
前記係止口は、略Ｖ形である請求項１に記載のバナナスタンド。
【請求項３】
前記係止口を含む仮想平面が、垂直面から４５°以内の角度で傾斜している請求項１または２に記載のバナナスタンド。
【請求項４】
前記梁には、屈曲されて前記係止口を構成するワイヤが取り付けられる請求項１〜３のいずれか１項に記載のバナナスタンド。
【請求項５】
前記梁が、プレート状であって、該梁に前記係止口が切欠き形成される請求項１〜３のいずれか１項に記載のバナナスタンド。
【発明の詳細な説明】
【技術分野】
【０００１】
本発明は、一般家庭などでバナナを傷みにくくするために吊下げ保存するようにしたバナナスタンドに関する。
【背景技術】
【０００２】
従来からバナナの保存方法が種々提案されている（例えば、特許文献１参照）。
【０００３】
一般家庭において、バナナを吊り下げて保存するバナナスタンドには、木造と金属ワイヤで造られたものとがあるが、どちらもベース部材に立てられたアームがありアームの先端部に吊下げ金具が設けられている。
【０００４】
図１６に従来の木造のバナナスタンドの斜視図が示されている。図において、１０はベースで、ベース１０にはアーム１１が立てられ、アーム１１の先端部には吊り下げ金具１１ａが設けられている。
【０００５】
図１７は、図１６の右側面図であり、バナナ５の房１２が吊下げられた状態で示されている。
【特許文献１】特開２００４−１９４６７４号公報
【発明の開示】
【発明が解決しようとする課題】
【０００６】
従来のバナナスタンドでは、バナナを房の状態で吊下げるために、バナナ自体から発生して熟成を加速するガスであるエチレンガスがバナナの固まりの中から放散しにくいので、バナナの日持ちがあまり良くなく、房の固まりの中のバナナの変色や熟成の状態も分かりにくいという問題がある。
【０００７】
また従来は、バナナが成熟してくるとバナナの皮が裂けてバナナの実が落ちてしまい、一本が落ちると隣接するバナナに連鎖反応がおきてしまうという問題がある。特に気温の高い夏季は成熟が速く進むのでこの現象が起こりやすい。これはバナナを房のまま吊下げることに起因する問題である。
【０００８】
さらに、吊り下げられてある程度熟成したバナナの房を裂いてバナナ一本を得ようとすると、首部であるスティック５の付け根部分であるスティックネック５ｂでちぎれてしまったり、さらには隣のスティックネック５ｂもちぎれてしまい始末に困るという問題がある。
【０００９】
本発明は、このような従来の構成が有していた問題を解決しようとするものであり、バナナの日持ちを良くするとともに、自然にバナナの皮がむけて実が落下するのを低減し、しかも、スティックネックがちぎれていないバナナを容易に得ることができるバナナスタンドを実現することを目的とする。
【課題を解決するための手段】
【００１０】
本発明では、上述の目的を達成するために、次のように構成している。
【００１１】
すなわち、本発明のバナナスタンドは、立設された支柱と、該支柱に支持された梁とを備え、該梁には、バナナの首部を入れて該首部を係止する係止口が複数設けられ、前記係止口は、下方に沿って小さく形成されている。
【００１２】
ここで、支柱は、棒状、板状、その他の形状であってもよく、屈曲した形状であってもよい。この支柱は、立った状態で安定するように下部をベース部材などに取り付けるようにしてもよいし、下部に面積が大きな台部を一体に備えるようにしてもよい。あるいは、この支柱の下部を、テーブルの縁などに立った状態で取り付けるようにしてもよい。
【００１３】
梁は、複数の支柱間に架設するのが好ましいが、例えば、屈曲形成された板状の支柱の対向面の間に架設してもよく、また、支柱に片持ち状に支持してもよい。
【００１４】
支柱と梁とを同一の材料によって一体に構成してもよい。
【００１５】
バナナの首部とは、房に繋がる部分をいい、スティックと称される部分をいう。
【００１６】
係止口は、バナナの首部を入り込ませて該首部を係止（保持）するものである。
【００１７】
この係止口は、その全部分について、下方に沿って口が小さく、すなわち、狭く形成されているのが好ましいが、一部に口が大きく形成されている部分があってもよい。
【００１８】
複数の各係止口は、各バナナの首部を係止させて吊り下げたときに、各バナナが接触しない間隔で配置されるのが好ましい。
【００１９】
本発明によると、支柱に架設された梁には、複数の係止口が設けられているので、各係止口に、１本ずつのバナナの首部を係止させて吊り下げることができるので、バナナから発生したエチレンガスが円滑に放散されることになり、房の状態でバナナを吊り下げる従来例のように、房状のバナナの内部にエチレンガスが滞留してバナナの熟成を加速するのを抑制してバナナの日持ちを良くすることができる。
【００２０】
また、バナナの首部の太さは大きいものもあれば小さいものもあり、さらに、首部はバナナの熟成と乾燥が進むにつれて細ってくるのであるが、首部を係止する係止口は、下方に沿って口が小さく形成されているので、首部の太さに応じた位置で係止口に挟み込まれて係止することができる。
【００２１】
また、熟成と乾燥で首部が細ってきたときは、バナナの自重で係止口の奥の方、すなわち、下方のより小さい口の細い部分に引き込まれて挟み込まれ、これによって、安定に係止されて保持される。
【００２２】
好ましい実施態様においては、前記係止口は、略Ｖ形である。
【００２３】
略Ｖ形とは、Ｖ形あるいはＶ形に近い形状をいい、例えば、Ｕ形、放物線状、レ点状などであってもよい。係止口が、Ｖ形である場合には、その開口角度は、１０°以上３０°未満であるのが好ましく、１５°以上２５°未満であるのがより好ましい。
【００２４】
この実施態様によると、バナナの首部が、自重によって略Ｖ形の係止口の奥に入り込んで挟み込むようにして確実に係止される。
【００２５】
一実施態様においては、前記係止口を含む仮想平面が、垂直面から４５°以内の角度で傾斜している。
【００２６】
係止口が設けられている梁を、支柱に対して所要角度回転させて架設することによって、前記係止口を含む仮想平面を垂直面から傾斜させるのが好ましく、この傾斜角度は、調整できるようにしてもよい。
【００２７】
垂直面からの傾斜角度が４５°を越えると、バナナが係止口から外れて落下しやすくなる。
【００２８】
この傾斜角度は、１０°以上３０°以内が好ましく、１５°以上２５°以内が更に好ましい。
【００２９】
バナナを首部で軽く持ち上げると、その持っている点の真下に重心位置がくるように、首部の軸線の方向は、垂直ではなく傾斜し、この傾斜角は、バナナのサイズ、湾曲度合いなどによって異なる。また、首部の長さ自体も長いものもあれば、短いものもある。
【００３０】
この実施態様によると、係止口を傾斜させることで、サイズ、湾曲度合い、首部の長さなどが異なる多種のバナナを、より安定に係止させて吊り下げることができる。
【００３１】
他の実施態様においては、前記梁には、屈曲されて前記係止口を構成するワイヤが取り付けられるものである。
【００３２】
この実施態様によると、ワイヤを屈曲して係止口を構成するので、ワイヤの線径の選択によって、バナナの首部に対する係止口のワイヤの食い込みを促進して安定に係止することができる。また、丸みを有する断面円形のワイヤは、ユーザがワイヤに触れても指を傷つけることがない。さらに、梁を並設して各梁の複数の係止口に、バナナを１本ずつそれぞれ係止させて複数の列に分けて吊り下げたような状態では、ワイヤ間の空間を通してワイヤの後方のバナナを目視できるので、熟成度合いなどを容易に認識できる。
【００３３】
更に他の実施態様においては、前記梁が、プレート状であって、該梁に前記係止口が切欠き形成されるものである。
【００３４】
この実施態様によると、ワイヤに比べて支柱への取り付けが容易となり、また、樹脂材料を用いることができ、例えば、ＰＥＴなどの透明材料または半透明材料を採用することにより、吊下げたバナナが透けて、宙に浮いたように見える演出が可能となる。
【発明の効果】
【００３５】
本発明によると、バナナが一本ずつ分離されて吊下げられるので、バナナ自体から発生するエチレンガスが良く放散し、従来のバナナスタンドよりも日持ちが良くなる。また、一本一本の外観表面が目視でき、変色や成熟度合いなどが確認しやすい。
【００３６】
従来のようにバナナ一本を取り外すとき、スティック部で裂けたり、隣のバナナのスティックを折ってしまうという不具合が解消できる。
【００３７】
また、バナナの吊下げと取り外しが一本ずつできるので、成熟したバナナから先に取り外すことができ、空いた係止口には新しいバナナを追加吊下げすることもできるので、実際の使用で大変便利である。
【発明を実施するための最良の形態】
【００３８】
以下、本発明の実施の形態を図面に基づいて説明する。
【００３９】
（実施の形態１）
図１に本発明の一つの実施の形態に係るバナナスタンドの外観斜視図が、図２にその分解斜視図が、また図３には外観の右側面図がそれぞれ示されている。
【００４０】
このバナナスタンドは、ベース１、各ベース１にそれぞれ立設された支柱２ａ、一対の支柱２ａ，２ａ間に架設された梁２ｂ、梁２ｂに設けられたＶ形の係止口３ａを構成する複数のワイヤ３から構成されている。
【００４１】
ワイヤ３は、例えば、ステンレスからなり、Ｍ形に屈曲形成されて中央のＶ形の部分が、後述のようにバナナの首部としてのスティックを係止する係止口３ａとなっており、各ワイヤ３の両端３ｂは、梁２ｂにそれぞれ溶接される。
【００４２】
この実施の形態では、ワイヤ３の外径は、例えば、１．６ｍｍとしており、Ｖ形の係止口３ａの深さは、例えば、３６ｍｍとしている。
【００４３】
支柱２ａの下端部には、それぞれ外側切欠き２ｃと内側切欠き２ｄが設けられており、ベース１の穴１ａに挿入される。そして、ベース１のねじ穴１ｂから止めねじ４が挿入され固定される。
【００４４】
この実施の形態では、図３に示すように、Ｖ形の係止口３ａを含む仮想平面Ｐを、垂直面からバナナ本体側へ２０°程度、例えば、２２°傾斜させており、この傾斜角度を、θ２として示している。
【００４５】
図４は、この実施の形態のバナナスタンドにバナナ５を吊下げた状態の外観斜視図であり、図５は図４の右側面図である。
【００４６】
図４は、６本のバナナ５の各スティック５ａがＶ形の係止口３ａに挟み込まれるように係止されて吊下げられた状態を示している。図において、バナナの形状は便宜的に板状に描かれている。
【００４７】
図５において、上述の傾斜角度θ２と共に、スティック５ａの軸線が、垂直面となす角度であるスティック角度θ３を示している。
【００４８】
バナナ５は、そのスティック５ａで保持すると、その真下に重心が位置するように回動してスティック角度θ３だけ傾斜する。
【００４９】
図６は、Ｖ形の係止口３ａに、バナナ５のスティック５ａが係止された状態のベクトルを示す図であり、この図６では、Ｖ形の係止口３ａの開口角度θ１が２２°である場合を示している。
【００５０】
同図において、Ｆは、スティック５ａを係止口３ａに引き込む力を示しており、この力Ｆは、バナナ５の自重に対応するものである。Ｎは、前記力Ｆによって係止口３ａの側面に垂直に作用する力を示しており、下記の関係式が成立する。
【００５１】
Ｎ＝Ｆ／ｃｏｓ（９０°−θ１）
θ１＝２２°すると、
Ｎ＝Ｆ／ｃｏｓ７８°
≒２．６２Ｆ
したがって、Ｖ形の係止口３ａの開口角度θ１＝２２°であるときには、係止口３ａへ引き込む力Ｆの約２．６２倍の力Ｎで係止口３ａの側面に押圧されることになる。
【００５２】
このように係止口３ａの開口角度θ１を選択することによって、バナナの自重に応じて、係止口３ａの側面を押圧するように作用する力の大きさを変化させることができる。
【００５３】
上述の図５に示されるスティック角度θ３は、バナナ５のサイズや湾曲の度合いなどによって変化し、このスティック角度θ３が小さく、スティック５ａが短い場合には、傾斜角度θ２を設けないと、バナナ５を安定して保持することができない。
【００５４】
下記の表１に、スティック角度θ３およびスティック５ａの長さが異なる４種類のバナナについて、傾斜角度θ２を変化させた場合に、バナナが保持できるか否かを試験した結果を示す。この試験では、スティック角度θ３が、２０°、３０°、４０°、５０°であって、スティック５ａの長さが、１５ｍｍ、３０ｍｍであるバナナについて行った。
【００５５】
表１においては、○は、落下することなく保持できたことを示し、×は、落下したことを示し、××は、スティック５ａが短くで係止口３ａに挟み込むことができず、落下したことを示している。
【００５６】
【表１】
2006136617.tif 000003
【００５７】
この表１に示すように、スティック角度θ３が小さく。スティック５ａが短い場合には、係止口３ａに吊り下げることが困難であり、この試験では、傾斜角度θ２を、２２．５°にした場合に、全てのバナナを吊り下げることができた。
【００５８】
このように、サイズ、湾曲度合いあるいはスティック５ａの長さが異なる多種のバナナを安定して吊り下げるには、傾斜角度θ２を、２０°前後に設定するのが好ましい。
【００５９】
この実施の形態では、係止口３ａは、Ｖ形であったけれども、他の実施の形態として、図７に示すように、一方側が垂直であって他方側が傾斜した略レ点状の係止口３ａとしてもよく、あるいは、図８に示すように、放物線状の係止口３ａとしてもよい。
【００６０】
更に、図９に示すように、ワイヤ７を対向させて一つのＶ形の係止口３ａを構成してもよい。なお、下端７ｂは梁２ｂに溶接される。
【００６１】
また、図１０に示すように、ワイヤ３を、Ｖ形に切り欠かれて係止口３ａが形成された金属板８に代えてもよい。Ｖ形の係止口３ａの外周は、スティックへの食い込み向上と安全のために下端８ｂを除いてプレス金型で面取りがされる。なお、金属板８は複数を一枚板に一体化してもよい。
【００６２】
（実施の形態２）
図１１は、本発明の他の実施の形態の要部の斜視図であり、上述の実施の形態１に対応する部分には、同一の参照符号を付す。
【００６３】
この実施の形態は、サイズ、湾曲の度合い、首部の長さなどの多種のバナナに対してもより安定して吊り下げできるように、上述の傾斜角度θ２を調整できるようにしたものである。
【００６４】
すなわち、Ｖ形の係止口３ａを構成するワイヤ３が取り付けられた梁２ｂの両端には、ねじ穴２ｅが形成されており、支柱２ａの上端には、貫通孔２ｄが形成されている。
【００６５】
梁２ｂを必要な角度傾斜させ、その状態で、ねじ１３によって梁２ｂを支柱２ａに締め付け固定するものである。
【００６６】
これによって、係止口３ａを構成するワイヤ３を、任意角度で調整することができる。
【００６７】
（実施の形態３）
図１２は、本発明の他の実施の形態の要部の斜視図であり、図１３は、その分解斜視図である。
【００６８】
この実施の形態の梁６は、複数のＶ形の係止口３ａと支柱２ａへの取付け部とが一体に形成されたものである。
梁６の長手方向の端部には、取り付け孔６ａが設けられ、支柱２ａの先端２ｃが挿入される。支柱先端２ｃは、Ｖ形の係止口３ａを含む仮想平面が、垂直面から４５°以内での角度で傾斜するように屈曲形成されている。なお、Ｖ形の係止口３ａ周辺には、フィレットが設けられ、スティックの保持性能向上と安全性向上を図っている。
【００６９】
（実施の形態４）
図１４は、本発明の他の実施の形態の要部の分解斜視図であり、図１５は、図１４の係止部材９の拡大斜視図である。
【００７０】
この実施の形態では、Ｖ形の係止口３ａを構成するワイヤ３に代えて、Ｖ形の係止口３ａを有する係止部材９を用いるものである。
【００７１】
係止部材９は、傾斜したプレート部がＶ形に切り欠かれて係止口３ａが形成されるとともに、その下部には、梁２ｂが嵌入される凹部９ｂおよび支柱２ａが嵌入される凹部９ａとがプラスティック成形等で一体に形成されている。Ｖ形の係止口３ａ周辺には、フィレットが設けられ、スティックの保持性能向上と安全性向上を図っている。
【産業上の利用可能性】
【００７２】
本発明は、バナナスタンドとして有用である。
【図面の簡単な説明】
【００７３】
【図１】本発明の実施形態を示すバナナスタンドの外観斜視図
【図２】同バナナスタンドの分解斜視図
【図３】同バナナスタンドの右側面図
【図４】同バナナスタンドのバナナを吊下げた状態の外観斜視図
【図５】同バナナスタンドのバナナを吊下げた状態の右側面図
【図６】係止口におけるベクトルを示す図
【図７】係止口の他の例を示す図
【図８】係止口の他の例を示す図
【図９】係止口の更に他の例を示す図
【図１０】係止口の他の例を示す図
【図１１】本発明の他の実施の形態の要部の分解斜視図
【図１２】本発明の他の実施の形態を示すバナナスタンドの要部の外観斜視図
【図１３】同バナナスタンドの分解斜視図
【図１４】本発明の更に他の実施の形態の要部の分解斜視図
【図１５】図１４の係止部材の拡大斜視図
【図１６】従来のバナナスタンドの外観斜視図
【図１７】同右側面図
【符号の説明】
【００７４】
１    ベース
２ａ  支柱
２ｂ  梁
２ｃ  支柱の先端部  
３    ワイヤ
３ａ  係止口
４    止めねじ
６    梁
【図１】
2006136617.tif 000004
【図２】
2006136617.tif 000005
【図３】
2006136617.tif 000006
【図４】
2006136617.tif 000007
【図５】
2006136617.tif 000008
【図６】
2006136617.tif 000009
【図７】
2006136617.tif 000010
【図８】
2006136617.tif 000011
【図９】
2006136617.tif 000012
【図１０】
2006136617.tif 000013
【図１１】
2006136617.tif 000014
【図１２】
2006136617.tif 000015
【図１３】
2006136617.tif 000016
【図１４】
2006136617.tif 000017
【図１５】
2006136617.tif 000018
【図１６】
2006136617.tif 000019
【図１７】
2006136617.tif 000020